(57)【要約】【課題】多量の塵埃が付着した状態でも粘着テープの切れ目の端部がどこにあるのかを一目で知ることができ、しかも該粘着テープを切れ目に沿って一層ずつ簡単かつ確実に剥離することができるカーペットクリーナー用粘着テープロールを提供する。【解決手段】円筒状をした巻芯２の外周に、表面が粘着面３ａをなす粘着テープ３を多層に巻き重ねることによりロール状に形成すると共に、前記粘着テープ３に、ロールの軸線Ｌ方向の一端から他端に至る螺旋状の切れ目４を設けた粘着テープロール１において、前記粘着テープ３の粘着面３ａの前記切れ目４に接する縁部分に、筋状の着色部５ａ，５ｂを前記切れ目４に沿って該切れ目４の一端から他端まで連続して形成する。【選択図】図１
2014204790.tif 000002
【特許請求の範囲】
【請求項１】
円筒状をした巻芯の外周に表面が粘着面をなす粘着テープを多層に巻き重ねることによりロール状に形成すると共に、該粘着テープにロールの軸線方向の一端から他端に至る螺旋状の切れ目を設けた粘着テープロールにおいて、
前記粘着テープの粘着面の前記切れ目に接する縁部分に、筋状の着色部を前記切れ目に沿って該切れ目の一端から他端まで連続して形成したことを特徴とするカーペットクリーナー用粘着テープロール。
【請求項２】
前記着色部は、前記切れ目を挟んで該切れ目の両側に形成されていることを特徴とする請求項１に記載の粘着テープロール。
【請求項３】
前記切れ目は該切れ目の一端から他端まで連続した状態に形成され、この連続する切れ目によって前記粘着テープが一層毎に分離されると共に、該切れ目の位置が前記粘着テープ一層毎に異なることを特徴とする請求項１又は２に記載の粘着テープロール。
【発明の詳細な説明】
【技術分野】
【０００１】
本発明は、カーペットクリーナーに用いる粘着テープロールに関するものである。
【背景技術】
【０００２】
カーペットクリーナーに用いる粘着テープロールは、例えば特許文献１−特許文献３等に開示されているように、円筒状の巻芯の外周に粘着テープを多層に巻き重ねることによりロール状に形成され、カーペットの表面に沿って転動させることにより、該カーペット上の塵埃を前記粘着テープの粘着面に付着させて除去するものである。
【０００３】
前記粘着テープの粘着面に多量の塵埃が付着して粘着力が低下した場合には、該粘着テープを切れ目に沿って一層分だけ剥がし、新たに露出した粘着面を使用する。このため前記粘着テープには、直線状あるいは螺旋状の前記切れ目が形成されていて、この切れ目の一端側から前記粘着テープを順次引き剥がすようになっている。
ところが、前記粘着テープに多量の塵埃が付着すると、前記切れ目が塵埃に覆われて分かりにくくなり、該切れ目の端部がどこにあるのかを探すのに手間がかかっていた。
【０００４】
このような問題を解消するため、前記特許文献１においては、粘着テープロールに巻芯まで達する切込み開口部を設け、該切込み開口部の切込み面（内側面）と巻芯の表面とに着色することによって該切込みの位置が一目で分かるように工夫している。
【０００５】
しかし、この特許文献１においては、切込み面と巻芯の表面とを外部から常に目視し得る程度に幅の広い切込み開口部を、粘着テープロールの外面から巻芯に達する深さに形成しなければならないため、その加工が難しく、しかも、粘着テープロールを転動させて使用している間に前記切込み開口部の位置で粘着テープの巻きが緩んで型くずれを起こし易く、使用しづらいという問題もある。
前記切込み開口部の幅を狭くすると、着色した前記切込み面と巻芯の表面とが外部から見えにくくなるだけでなく、付着した塵埃により切込み開口部が塞がれて該開口部が機能しなくなるおそれがある。
【０００６】
一方、前記特許文献３では、粘着シートを螺旋状に色分けし、色の境界線の端部が切込み線の端部と一致するように形成されている。
しかし、この特許文献３においては、粘着シート全体を複数色に色分けしなければならないため、その分コストがかかるという欠点がある。しかも、前記切込み線はロールの軸線と平行に形成されているため、粘着シートの端部を摘んで引き剥がす際に、該粘着シートが切込み線に沿ってうまく切れず、途中で破れ易いという欠点もある。
【先行技術文献】
【特許文献】
【０００７】
【特許文献１】特開２００８−２０６９４７号公報
【特許文献２】特開２００５−２７０６４２号公報
【特許文献３】実用新案登録第３１７７３６６号公報
【発明の概要】
【発明が解決しようとする課題】
【０００８】
本発明の課題は、多量の塵埃が付着した状態でも粘着テープの切れ目の端部がどこにあるのかを一目で知ることができ、しかも該粘着テープを切れ目に沿って一層ずつ簡単かつ確実に剥離することができるカーペットクリーナー用粘着テープロールを提供することにある。
【課題を解決するための手段】
【０００９】
前記課題を解決するため、本発明によれば、円筒状をした巻芯の外周に表面が粘着面をなす粘着テープを多層に巻き重ねることによりロール状に形成すると共に、該粘着テープにロールの軸線方向の一端から他端に至る螺旋状の切れ目を設けた粘着テープロールにおいて、前記粘着テープの粘着面の前記切れ目に接する縁部分に、筋状の着色部を前記切れ目に沿って該切れ目の一端から他端まで連続して形成したことを特徴とするカーペットクリーナー用粘着テープロールが提供される。
【００１０】
本発明において、前記着色部は、前記切れ目を挟んで該切れ目の両側に形成されていることが望ましい。
また、前記切れ目は該切れ目の一端から他端まで連続した状態に形成され、この連続する切れ目によって前記粘着テープが一層毎に分離されると共に、該切れ目の位置が前記粘着テープ一層毎に異なることが望ましい。
【発明の効果】
【００１１】
本発明によれば、粘着テープに設けた螺旋状の切れ目に沿って筋状の着色部を設けたことにより、清掃後に該粘着テープロールの表面に多量の塵埃が付着した状態であっても、前記着色部によって前記切れ目の端部の位置即ち粘着テープの剥離開始端の位置を一目で容易に見つけ出すことができ、しかも、螺旋状の切れ目によって前記粘着テープを一層ずつ簡単かつ確実に剥離することができる。
【図面の簡単な説明】
【００１２】
【図１】本発明に係る粘着テープロールの斜視図である。
【図２】粘着テープの剥がし始めの状態を示す斜視図である。
【図３】粘着テープを途中まで剥がした状態の斜視図である。
【図４】完全に剥離した状態の１枚の粘着テープを示す平面図である。
【発明を実施するための形態】
【００１３】
図１−図３は本発明に係る粘着テープロール１の一実施形態を示す斜視図である。この粘着テープロール１は、円筒状をした紙製あるいは合成樹脂製の巻芯２の外周に、表面に粘着剤を塗布した粘着テープ３を多層に巻き重ねることによりロール状に形成したもので、この粘着テープロール１をクリーナー本体１０に回転自在に取り付け、取っ手１１を持って該粘着テープロール１をカーペットの表面に沿って転動させることにより、該カーペットに付着した繊維状、綿状、塵状などの塵埃を前記粘着テープ３の表面の粘着面３ａに付着させて除去するものである。
【００１４】
前記クリーナー本体１０は、前記取っ手１１と、該取っ手１１の先端に連結されたロール取付アーム１２とからなっていて、該ロール取付アーム１２は、その先端に前記取っ手１１と直交する方向に延びる取付軸部１２ａと、該取付軸部１２ａに回転自在に取り付けられた筒状のロール取付部材１３とを有し、該ロール取付部材１３を前記粘着テープロール１の巻芯２の内部に挿入し、該ロール取付部材１３の外周に形成したリブを前記巻芯２の内面に係止させたり、相互間に摩擦力を作用させるなどの方法により、該ロール取付部材１３に前記粘着テープロール１が、回転方向には相互に係止した状態で着脱自在に取り付けられている。
なお、図２及び図３においては、前記クリーナー本体１０の図示は省略されている。
【００１５】
前記カーペットの清掃を行って前記粘着テープロール１の粘着面３ａに多量の塵埃が付着し、粘着力が低下すると、前記粘着テープ３を一層分だけ引き剥がして新たな粘着テープ３の粘着面３ａを露出させる。
このため、前記粘着テープロール１には、粘着テープ一層毎に、ロールの軸線Ｌ方向の一端から他端に至る螺旋状の切れ目４が連続して設けられており、図２に示すように、この切れ目４の一端において粘着テープ３の鋭角に尖った端部（剥離開始端）３ｂを少し剥離させて指先で摘み、図３に示すように該粘着テープ３を徐々に引き剥がすことにより、該粘着テープ３が一層分だけ剥離されるように構成されている。このとき、前記粘着テープロール１は、前記粘着テープ３の剥離に伴って従動回転し、その回転によって該粘着テープ３の剥離が円滑かつ簡単に行われる。
なお、図示の例では前記切れ目４が若干（１−３ｍｍ程度）の幅を有しているが、必ずしも該切れ目４にこのような幅を持たせる必要はない。
【００１６】
また、前記粘着テープ３を剥離する際に前記剥離開始端３ｂの位置を一目で容易に見つけ出すことができるように、前記粘着テープ３の粘着面３ａの前記切れ目４に接する縁部分には、筋状の着色部５ａ，５ｂが前記切れ目４に沿って該切れ目４の一端から他端まで連続して形成され、該着色部５ａ，５ｂの一端に前記剥離開始端３ｂが形成されるようにしている。図示の例では、前記切れ目４の両側の縁部分に前記着色部５ａ，５ｂが、該切れ目４を介して相対するように形成されていて、粘着テープロール１の軸線Ｌ方向の一端側においては、一方の着色部５ａの端部に前記剥離開始端３ｂが形成され、粘着テープロール１の軸線Ｌ方向の他端側においては、他方の着色部５ｂの端部に前記剥離開始端３ｂが形成されている。
【００１７】
前記着色部５ａ，５ｂは、黄色や赤色など、粘着テープ３の粘着面３ａに多量の塵埃が付着した状態でも該塵埃を通して目立つような色であればどのような色でも良い。該着色部５ａ，５ｂの幅にも特に制限はなく、例えば１−１５ｍｍ程度の幅があれば問題はないが、好ましくは５−１０ｍｍ程度の幅に形成することである。
【００１８】
このように、切れ目４に沿って前記着色部５ａ，５ｂを設けることにより、前記粘着テープロール１の表面に多量の塵埃が付着した場合でも、該塵埃を通して前記着色部５ａ，５ｂを認識することができるため、該着色部５ａ，５ｂを辿ることにより、前記剥離開始端３ｂの位置を容易に見つけ出すことができる。しかも、切れ目４を挟んで該切れ目の両側に前記着色部５ａ，５ｂを設けることにより、前記粘着テープロール１の軸線Ｌ方向の両端側において前記剥離開始端３ｂの位置を容易に見つけ出すことができる。
【００１９】
図４には、剥離された一層分の粘着テープ３が示されている。この粘着テープ３は、相対する一対の長辺７ａ，７ｂと相対する一対の短辺８ａ，８ｂとを有する細長い平行四辺形状をしていて、内角が９０度以外の角度になるように短辺８ａ，８ｂが長辺７ａ，７ｂに対して傾斜しており、前記一対の長辺７ａ，７ｂに沿ってそれぞれ前記着色部５ａ，５ｂが形成されている。従って前記粘着テープロール１は、このような複数の粘着テープ３を、前記切れ目４を介して螺旋状に多重に巻き重ねることにより形成したものであるということができる。この場合、前記切れ目４は、上層の粘着テープ３の切れ目４と下層の粘着テープ３の切れ目４とが互いに重ならないように、また、上層の粘着テープ３の切れ目４と下層の粘着テープ３の着色部５ａ，５ｂとが互いに重ならないように、粘着テープ一層毎にロールの円周方向に互いの位置をずらして配置することが望ましい。
【００２０】
これにより、前記切れ目４が上下層で重なることによって前記粘着テープ３の巻きが緩むのが防止されるだけでなく、該切れ目４が幅を有する場合でも、その幅内に下層の粘着テープの着色部５ａ，５ｂが現れることによって前記切れ目４の位置が分かりにくくなるという不都合が防止される。
【００２１】
図示した実施形態では、図４に示すように、前記着色部５ａ，５ｂの前記切れ目４に接する側の端辺即ち外側端辺５ｃと、その反対側の端辺即ち内側端辺５ｄとは、何れも直線状に形成されているが、該内側端辺５ｄは直線以外の任意の形状、例えば波形や山形などに形成されていても良い。
【００２２】
また、図示した実施形態では、前記着色部５ａ，５ｂが前記切れ目４の両側の縁部分に形成されているが、該着色部は、前記切れ目４の片側の縁部分だけに形成されていても良い。即ち、図４に示す粘着テープ３において、一対の長辺７ａ，７ｂの内の何れか一方の長辺の着色部５ａ又は５ｂだけを残し、他方の長辺の着色部５ｂ又は５ａは省略することもできる。
この場合、粘着テープロール１の軸線Ｌ方向の一端側においては、粘着テープ３の剥離開始端３ｂが着色部５ａ又は５ｂの端部に形成され、他端側においては、剥離開始端３ｂが着色されていない縁部分（長辺）の端部に形成されることになるが、この着色されていない剥離開始端３ｂは、切れ目４を挟んで前記着色部５ａ又は５ｂの端部と対向する位置にあるため、それを見つけ出すのは容易である。
【００２３】
更に、図示の粘着テープロール１においては、前記切れ目４が一端から他端まで連続して形成されていて、連続するこの切れ目４によって前記粘着テープ３が一層毎に完全に分離されているが、前記切れ目４はミシン目状であっても構わない。この場合、ミシン目状の切れ目を通して下層の粘着テープは透視されにくいため、上下層の切れ目同士が重なり合っていても、上下層の切れ目と着色部とが重なり合っていても、差し支えはない。
【符号の説明】
【００２４】
１      粘着テープロール
２      巻芯
３      粘着テープ
３ａ      粘着面
４      切れ目
５ａ，５ｂ      着色部
【図１】
2014204790.tif 000003
【図２】
2014204790.tif 000004
【図３】
2014204790.tif 000005
【図４】
2014204790.tif 000006